(57)【特許請求の範囲】
【請求項１】
防振連結されるべき一方の部材に取り付けられる内側金具を、防振連結すべき他方の部材に取り付けられる外側金具の内部に収容配置するとともに、内側金具と外側金具をゴム弾性体で連結せしめる一方、外側金具側に設けられた仕切部材を挟んで一方の部材の荷重方向一方の側に、室壁の一部が前記ゴム弾性体で構成されて振動入力時に内圧変動が惹起される受圧室を、他方の側に、室壁の一部が弾性膜で構成されて容積変化が許容される平衡室をそれぞれ形成し、これら受圧室と平衡室とに液体を封入するとともに、これら受圧室と平衡室とを相互に連通するオリフィス通路を設けた液体封入防振装置において、ゴム弾性体で構成された荷重方向に対面しない受圧室の室壁の外側を覆う外側金具に窓を形成し、外側金具の内周に平行に沿って窓の内側に存する室壁を薄肉にしてこの室壁が窓外に膨出するのを可能にしたことを特徴とする液体封入防振装置。
【請求項２】
窓が複数設けられる請求項１に記載の液体封入防振装置。
【発明の詳細な説明】
【０００１】
【発明の属する技術分野】
本発明は、自動車のエンジン等の振動体を固定部材に対して防振支持する液体封入防振装置に関するものである。
【０００２】
【従来の技術】
振動体を防振支持する場合、防振部材としてのゴム弾性体の内部にオリフィス通路で連絡された液封液室を隔成し、振動入力時、これらの液体系を当該振動に対して共振させると、防振効果が大きいことが知られている。現在では、この仕組みを利用した様々な液体封入防振装置が提供されている。更に、最近では、複数の周波数を有している自動車のエンジン等によるそれぞれの振動数に反応するように、防振装置の中に複数の流動容量に変化する流動液体系を組み込んでいるものもある。
【０００３】
【発明が解決しようとする課題】
しかしながら、このような配慮は、振動入力方向はすべて荷重方向であると想定したものであり、荷重方向以外の振動が入力されると、せっかくの工夫が役に立たない。自動車等は動くものであるから、これに組み込まれた防振装置の振動の入力方向は荷重方向に限らないのはいうまでもない。このため、荷重方向以外の方向の振動を防振する専用の防振装置を設けている位である。
本発明は、このような課題を解決するものであり、一つの防振装置で荷重方向以外の方向の振動をも防振できる液体封入防振装置を可能にしたものである。
【０００４】
【課題を解決するための手段】
以上の課題の下、本発明は、防振連結されるべき一方の部材に取り付けられる内側金具を、防振連結すべき他方の部材に取り付けられる外側金具の内部に収容配置するとともに、内側金具と外側金具をゴム弾性体で連結せしめる一方、外側金具側に設けられた仕切部材を挟んで一方の部材の荷重方向一方の側に、室壁の一部が前記ゴム弾性体で構成されて振動入力時に内圧変動が惹起される受圧室を、他方の側に、室壁の一部が弾性膜で構成されて容積変化が許容される平衡室をそれぞれ形成し、これら受圧室と平衡室とに液体を封入するとともに、これら受圧室と平衡室とを相互に連通するオリフィス通路を設けた液体封入防振装置において、ゴム弾性体で構成された荷重方向に対面しない受圧室の室壁の外側を覆う外側金具に窓を形成し、外側金具の内周に平行に沿って窓の内側に存する室壁を薄肉にしてこの室壁が窓外に膨出するのを可能にしたことを特徴とする液体封入防振装置を提供したのである。
【０００５】
振動が荷重方向以外から、例えば、横方向から入力されると、受圧室と平衡室間の液体の移動は起り難く、容積の大きい受圧室の液体は、受圧室内部で当該振動に共振して移動する。このため、当該振動数を越した辺りからばね定数が飛躍的に上昇し、その結果、振動を遮断できないということになる。この場合、共振振動数を調整しようとしても、弾性膜作用をする室壁を持たない受圧室ではそれも簡単にはできない。しかし、本発明のように、荷重方向に対面しない受圧室の室壁の外側を覆う外側金具に窓を形成し、窓の内側に存する室壁を薄肉にしてこの室壁が窓外に膨出するのを可能にすれば、横方向からの振動に対しても、この室壁が弾性膜作用を発揮することになるから、その弾性度等を調整することによって共振振動数の調整がきわめて容易にできる。
【０００６】
【発明の実施の形態】
以下、本発明の実施の形態を吊り下げ型のエンジンマウントを例にとって図面を参照して説明する。図１は本発明の一例を示す液体封入防振装置の縦断面図、図３は側面図であるが、この液体封入防振装置（以下、防振装置）は、内側金具１と、内側金具１を内部に収容配置する外側金具２と、内側金具１と外側金具２との間に介在させられるゴム弾性体３と、外側金具２の上方に被せられる上蓋４と、外側金具２と上蓋４との間に収容される仕切部材５等からなる。
【０００７】
内側金具１は、概略筒状をしており、外側金具２に対して縦向きに挿入される。内側金具１の底面には振動体を締結するためのネジ穴６が形成され、上部にはデバイス７と呼ばれる液体を攪拌するための攪拌板が取り付けてある。外側金具２は、内側金具１と同心に配置される筒状をしているものであり、その上部にカップを伏せた形状の上蓋４が連結部分をかしめ等で固定されて被さっている。この上蓋４は、側壁と上壁の周囲に芯金８が封入されたゴム弾性体であり、芯金８が途切れた上壁の中央は薄い弾性膜９に形成されている。
【０００８】
ゴム弾性体３は、デバイス７より下方の内側金具１と外側金具２との間を連結しているが、その上面は、内側金具１から斜め下方に降りて外側金具２の内周近くに至り、外側金具２の内周に沿って薄肉を形成して上蓋５との連結部分まで上がっているものである（図１）。従って、ゴム弾性体３の上面の上方には断面がＶ字形をした空間部１０が内側金具１の周囲に周回していることになる。
【０００９】
仕切部材５は、上面に凹陥部１１を有するハット形をしているものであり、下端のフランジ部分を外側金具２と上蓋４との連結部分で挟持して固定されている。仕切部材５も、側壁と上壁の周囲に芯金１２が封入されたゴム弾性体であり、芯金１２が途切れた上壁の中央は比較的薄い弾性膜１３に形成されている。この状態のときの仕切部材５は、前記した空間部１０と内側金具１の上方に間隙を有して被さり、凹陥部１１の周囲の縦壁が上蓋４に押圧している状態である。
【００１０】
従って、仕切部材５と上蓋４との間隙部は、二つの弾性膜９、１３を有して隔絶された空虚部１４を形成することになり、又、空間部１０を含む仕切部材５とゴム弾性体３及び第一金具１との間隙部も隔絶された空虚部１５を形成することになる。そこで、外側金具２と上蓋４の固定操作等を液体中で行なえば、両空虚部１４、１５は、液体が封入された液体室を構成する。ここでは、下方の液体室を受圧室１５、上方の液体室を平衡室１４とする。
【００１１】
受圧室１５と平衡室１４とは、オリフィス通路１６で連通されるが、本例では、このオリフィス通路１６を上蓋４と仕切部材５とで形成している。図２は仕切部材５の平面図であるが、フランジ部分に孔１７をあけるとともに、この孔１７の端に面して側壁を外方に存する上蓋４の側壁に押圧するまで張出した堰１８を形成し、堰１８より反孔１７側に凹陥部１１から上方に立ち上がる縦壁の一部を切り欠いてここを流出入口１９とするのである。これにより、上蓋４の側壁と仕切部材４の側壁との間がオリフィス通路１６となり、ここを通った液体は孔１７と流出入口１９から受圧室１５と平衡室１４に出入りする。
【００１２】
図４は以上の装置を自動車のエンジンマウントに適用した場合のエンジンの取付け状況を示す説明図であるが、前記した内側金具１のネジ穴６にエンジン側取付部材２０をボルト２１によって固定するとともに、外側金具２に複数のボディー側取付部材２２を取り付けておき（外側金具２はハウジング２３に収容されて保護されている）、このボディー側取付部材２２をボディーにボルト等（図示省略）によって固定するのである。
【００１３】
以上により、エンジンが振動すると、この防振装置が作動してエンジンの振動がボディー側に伝達されるのを遮断するのであるが、振動の入力方向とエンジンの重量がかかる荷重方向（上下方向）とが合致しているときは、この装置はしかるべく防振機能を果たす。しかし、荷重方向とは異なる方向に振動が入力された場合、その方向は、平衡室１４の室壁を形成する弾性膜９、１３と対面していないから（直角ではないから）、受圧室１５とで協働して起こす防振機能が今一つであることは前述のとおりである。
【００１４】
そこで、本発明は、外側金具２に窓２４を形成し、この窓２４の内側に存する受圧室１５の室壁を構成するゴム弾性体３が窓２４の外側に膨出するのを可能にして弾性膜作用ができるようにしたものである。こうすることにより、前後、左右方向から振動が入力されても、このゴム弾性体３が窓２４の外に膨れ、ばねの軟らかさを保って振動伝達を遮断する。従って、場合によっては、前後、左右方向の振動を防振する別の防振装置が不要になる位である。
【００１５】
尚、窓の外は前記したハウジング２３でカバーされているので、ゴム弾性体３が破れたりする虞はない（ゴム弾性体３の弾性膜作用をより行い易くするために、この窓２４の外側のハウジング２３には通気孔２５を形成しておくのが好ましい）。この場合、窓２４の位置及び大きさや数は適宜に設定されるが、振動が入力される方向に形成しておくのが適する。この意味から、自動車用の防振装置では、前後と左右に都合四個形成しておくのが好ましい。
【００１６】
【発明の効果】
以上、本発明は、上記したものであるから、荷重方向以外の方向の振動が入力されても、受圧室の室壁は弾性膜作用をしてばねの軟らかさを保ち、防振機能を発揮する。
【図面の簡単な説明】
【図１】本発明の一例を示す液体封入防振装置の縦断面図である。
【図２】本発明の一例を示す液体封入防振装置を構成する仕切部材の平面図である。
【図３】本発明の一例を示す液体封入防振装置の側面図である。
【図４】本発明の一例を示す液体封入防振装置の使用状況の説明図である。
【符号の説明】
１      内側金具
２      外側金具
３      ゴム弾性体
５      仕切部材
１４    平衡室
１５    受圧室
１６    オリフィス通路
２４    窓
【図１】
0004169229.tif 000002
【図２】
0004169229.tif 000003
【図３】
0004169229.tif 000004
【図４】
0004169229.tif 000005